(57)【要約】      （修正有）【課題】略ボックス状のポリ袋用ポリエチレン製パッケージの複数の側面に開口部を形成できるポリ袋用ポリエチレン製パッケージを提供する。【解決手段】ポリ袋用ポリエチレン製パッケージＡの包装体２には、第一開口部４を形成するための取出部９と、第二開口部５を形成するための第二取出部１０と、第三開口部６，６を形成するための第三取出部１１，１１とが形成されており、これら取出部９、１０、１１は、ポリエチレンシートの適所に設けた破線１２，１３、１４で囲まれ、該破線１２，１３、１４に沿って切り取られることで、第一開口部４、第二開口部５、第三開口部６，６が形成されるようになっている。【選択図】図１
0003170655.tif 000002
【実用新案登録請求の範囲】
【請求項１】
軟質合成樹脂シートからなる略ボックス状の包装体内に、一枚ずつ矩形状に複数折りされた多数のポリ袋が略水平に重ねて詰め込まれると共に、前記包装体に破線で囲まれた取出部を形成し、該取出部を前記破線に沿って切り取ることで前記包装体に前記ポリ袋を一枚ずつ取り出すための開口部が形成されるポリ袋用ポリエチレン製パッケージであって、前記包装体の任意の側面に破線で囲まれた第一取出部を設けると共に、前記第一取出部を設けた側面以外の任意の一つ又は複数の側面にそれぞれ破線で囲まれた取出部を設け、該取出部は、前記破線に沿って切り取ることで、前記包装体の内部下方にある前記ポリ袋を一枚ずつ取り出すことができる開口部となるよう形成したことを特徴とするポリ袋用ポリエチレン製パッケージ。
【請求項２】
前記包装体の底面部内側に矩形状の板材を取り付けたことを特徴とする請求項１記載のポリ袋用ポリエチレン製パッケージ。
【請求項３】
前記取出部を、前記包装体の上面部の幅方向略中央に帯状部が残るよう該帯状部の左右両側に設け、前記各取出部を前記破線に沿って切り取った際、前記帯状部の左右両側に前記開口部が形成されるよう構成したことを特徴とする請求項１〜２のいずれかに記載のポリ袋用ポリエチレン製パッケージ。
【考案の詳細な説明】
【技術分野】
【０００１】
本考案は、ゴミを収集したり蒲団や食品その他の物を収納したりするのに用いるポリ袋を多数詰め込んでなるポリ袋用ポリエチレン製パッケージに関するものである。
【背景技術】
【０００２】
従来、この種ポリ袋用ポリエチレン製パッケージには、ポリエチレン製の角筒状の包装袋内に一枚ずつ矩形状に複数折りされた多数のポリ袋を詰め込み、角筒状の包装袋の一方の側面部にミシン目取出部を設けたポリ袋用ポリエチレン製パッケージが知られている（特許文献１参照）。
【先行技術文献】
【特許文献】
【０００３】
【特許文献１】実用新案登録第３０９３７３８号公報
【考案の概要】
【考案が解決しようとする課題】
【０００４】
しかしながら、従来技術は、ポリ袋用ポリエチレン製パッケージの一つの側面にのみミシン目取出部を形成しているため、台所の引き出し等の収納スペースにポリ袋用ポリエチレン製パッケージを収納した場合に、ミシン目取出部を有するポリ袋用ポリエチレン製パッケージの側面が引き出しの内壁や他の日用品などによって塞がれて使用できなくなることがある。この場合は、使用者が引き出し等からポリ袋用ポリエチレン製パッケージを取り出してポリ袋用ポリエチレン製パッケージのミシン目取出部が塞がれないようにポリ袋用ポリエチレン製パッケージの向きを変更して収納し直す等する必要があるが、台所の引き出し等は狭い場合が多いため、収納スペース上の制約などから、ポリ袋用ポリエチレン製パッケージの向きを変更することが困難なことがある。
【０００５】
さらに、従来技術によるポリ袋用ポリエチレン製パッケージのポリ袋を収納する包装体は、軟性のポリエチレン素材であり、ポリ袋が減るに従いポリ袋用ポリエチレン製パッケージの形状が外圧により潰れたり、折り曲がったりするなど変形することがあり、ポリ袋用ポリエチレン製パッケージからポリ袋を一枚ずつ取り出すことが難しくなるという問題が生じる。
【０００６】
本考案は、このような問題に対処することを課題の一例とするものである。すなわち、略ボックス状のポリ袋用ポリエチレン製パッケージの複数の側面にミシン目取出部を設けることで、ポリ袋用ポリエチレン製パッケージの複数の側面に開口部を形成できるようにすること、ポリ袋用ポリエチレン製パッケージの底面部に矩形状の板材を取り付けることで、略ボックス状のポリ袋用ポリエチレン製パッケージの底面部の形状を保持し、最後までポリ袋を取り出し易い構造とすること、等が本考案の目的である。矩形状の板材は、ポリ袋用ポリエチレン製パッケージの底面部の形状を保持しうる程度の硬度を有する素材が好ましく、例えば、厚紙などが用いられる。
【課題を解決するための手段】
【０００７】
このような目的を達成するために、本考案に係るポリ袋用ポリエチレン製パッケージは、以下の構成を少なくとも具備するものである。
【０００８】
（請求項１）
軟質合成樹脂シートからなる略ボックス状の包装体内に、一枚ずつ矩形状に複数折りされた多数のポリ袋が略水平に重ねて詰め込まれると共に、前記包装体に破線で囲まれた取出部を形成し、該取出部を前記破線に沿って切り取ることで前記包装体に前記ポリ袋を一枚ずつ取り出すための開口部が形成されるポリ袋用ポリエチレン製パッケージであって、前記包装体の任意の側面に破線で囲まれた第一取出部を設けると共に、前記第一取出部を設けた側面以外の任意の一つ又は複数の側面にそれぞれ破線で囲まれた取出部を設け、該取出部は、前記破線に沿って切り取ることで、前記包装体の内部下方にある前記ポリ袋を一枚ずつ取り出すことができる開口部となるよう形成したことを特徴とするポリ袋用ポリエチレン製パッケージ。
【０００９】
（請求項２）
前記包装体の底面部内側に矩形状の板材を取り付けたことを特徴とする請求項１記載のポリ袋用ポリエチレン製パッケージ。
【考案の効果】
【００１０】
本考案は、軟質合成樹脂シートからなる略ボックス状のポリ袋用ポリエチレン製パッケージの複数の側面部にそれぞれミシン目取出部を設けたので、任意の側面部の破線を切り取って開口部とすることで、任意の側面からポリ袋を取り出すことができる。
【００１１】
また、ポリ袋用ポリエチレン製パッケージの底面部に矩形状の板材を取り付けたので、ポリ袋が少なくなっても、ポリ袋用ポリエチレン製パッケージの底面部の形状をより強固に保持することができ、ポリ袋用ポリエチレン製パッケージからポリ袋を取出しやすい。また、ポリ袋用ポリエチレン製パッケージを運送する際などに型崩れしにくい。
【図面の簡単な説明】
【００１２】
【図１】本考案に係るポリ袋用包装体の一例を示す斜視図。
【図２】同ポリ袋用包装体の製造工程の一例を示す縦断面図。
【図３】同ポリ袋用包装体の底面部の板材を示す正面図。
【図４】同ポリ袋用包装体の使用の一例を示す斜視図。
【図５】同ポリ袋用包装体におけるポリ袋の複数折りの手順の一例を示す斜視図。
【考案を実施するための形態】
【００１３】
以下、図面を参照しながら本考案の実施形態を説明する。本考案の実施形態は図示の内容を含むがこれのみに限定されるものではない。
【００１４】
本例のポリ袋用ポリエチレン製パッケージＡは、略ボックス状のポリエチレンシート１の上端側の開口１ａと下端側の開口１ｂを溶着閉鎖してなる略ボックス状の包装体２と、包装体２内に多数詰め込まれたポリ袋３と、包装体２の底面部内側に取り付けられた板材１５からなり、包装体２の任意の側面部２２に形成される第一開口部４及び、側面部２２以外の任意の側面部２４に形成される第二開口部５からポリ袋３を一枚ずつ取り出せるようになっていると共に、包装体２の上面部２１に形成される左右の第三開口部６，６からポリ袋３を一枚ずつ取り出すことができ、且つ、前記左右の開口部６，６で挟まれる帯状封着部７を手提げ部として持ち運びができるよう構成されている。
【００１５】
包装体２は、その内部に、一枚ずつ複数折りされたポリ袋３を略水平に多数枚重ねた状態で収容すると共に、包装体２の底面部内側に板材１５を取り付けることが可能な横断面を有する略ボックス状のポリエチレンシート１からなり、ポリ袋３を詰め込む前の状態において、ポリエチレンシート１の上端側の開口１ａを熱溶着することで閉鎖するとともに、下端側の開口１ｂを開放した包装袋２’を形成し、その下端側の開口１ｂから前記多数のポリ袋３を略水平に重ねて詰め込み、続けて板材１５をポリ袋の後方に略水平に取り付けた後、その開口１ｂを熱溶着により閉鎖することで、略ボックス状の包装体２として構成される（図２参照）。
また、包装体２は、上端側の開口１ａを熱溶着した際に形成される帯状封着部７を上面部２１の幅方向略中央に、下端側の開口１ｂを熱溶着した際に形成される帯状封着部８を下面部２３の幅方向略中央に夫々備えている。
【００１６】
包装体２には、第一開口部４を形成するための第一取出部９と、第二開口部５を形成するための第二取出部１０と、第三開口部６，６を形成するための第三取出部１１，１１と、が形成されており、これら取出部９、１０、１１は、ポリエチレンシート１の適所に設けた破線１２，１３、１４で囲まれ、該破線１２，１３、１４に沿って切り取られることで、第一開口部４、第二開口部５、第三開口部６，６が形成されるようになっている。
【００１７】
第一取出部９は、包装体２の側面部２２のほぼ全高にわたるよう形成され、第一開口部４により、包装体２内の下方に収容されたポリ袋３を容易に取り出せるようになっている。
【００１８】
第二取出部１０は、包装体２の側面部２４のほぼ全高にわたるよう形成され、第二開口部５により、包装体２内の下方に収容されたポリ袋３を容易に取り出せるようになっている。
【００１９】
第三取出部１１，１１は、包装体２の上面部２１に形成される帯状封着部７を挟むよう、該帯状封着部７の左右両側に形成されており、取出部１１，１１を切り取って左右の開口部６，６を形成した際に、これら左右の開口部６，６で挟まれる帯状封着部７を手提げ部として利用することも可能である。
【００２０】
また、多数のポリ袋３が収容された包装体２は、その内部を真空又はそれに近い状態として、収容されたポリ袋３及び板材１５と包装体２との間に隙間が生じたりポリ袋３がずれるような虞れなく、コンパクトな状態で縦置き可能に構成されている。
【００２１】
板材１５は、角を面取りされている。これにより、板材１５の角がポリエチレンシート１を破かないようにし、また、使用者がポリ袋をすべて使用し終わった際にゴミとしてポリ袋用ポリエチレン製パッケージを捨てる際に、誤って板材１５の角で指を切らないようにしている（図３参照）。
【００２２】
本考案においてポリ袋３は特に限定されるものではないが、本例では、内容積が４５リットル、厚さ０．０１７ｍｍのポリエチレン製の一般的なごみ収集用袋を用い、複数折りしたこのポリ袋３が５０枚重ねて包装体２内に収容されている。
尚、ポリ袋３は前記した以外に、内容積が２０リットルや３０リットル、７０リットルや９０リットルのもの、厚さが０．０１５ｍｍや０．０３５ｍｍ、０．０５ｍｍのもの、収容枚数が３０〜１００枚である場合、ポリエチレン或いはそれ以外のもの等、いずれを用いても構わないが、一般家庭用とする場合はポリ袋３の収容枚数を５０枚程度とすることが好ましい。
また、ポリ袋３はごみ収集用袋に限定されず、例えば、蒲団収納用や食品保存用その他の物を収納する、或いは他の用途に用いる袋であっても構わない。
【００２３】
ポリ袋３の複数折りの一態様を図５を参照して説明すれば、先ず、その長手方向に折り重ねるようにして連続して２回折られ（図５（ａ）〜（ｃ）参照）、次いで、長手方向と直交する方向に折り重ねるようにして連続して３回折られる（図５（ｄ）〜（ｆ）参照）ことで、重なり合う面を３２面有する小型矩形状に構成される。
【００２４】
このように複数折された多数のポリ袋３は、包装体２内にて水平状に重ねられることで、板材１５と共に包装体２を略直方体形状に維持する支持部材として機能するようになる。
尚、ポリ袋３を包装体２内に詰め込む手順は、例えば、ポリ袋３を複数枚まとめて複数折りにした後、その複数枚のポリ袋３を包装体２内に積み重ねるようにすることも可能であるが、前記した開口部４、５、６からのポリ袋３の取出し性を良好にする観点や、包装体２を略直方体形状に維持する観点等から、上記したように一枚ずつ折られたポリ袋３を包装体２内に積み重ねるようにすることが好ましい。
【００２５】
これら複数折りされた多数のポリ袋３及び板材１５が略水平に重ねて詰め込まれた略ボックス状の包装体２の内部は、真空又はそれに近い状態として縦置き可能に構成することが好ましい。
【００２６】
以上の構成になる本例のポリ袋用ポリエチレン製パッケージＡは、ポリエチレンシート１からなる略ボックス状の包装体２内に多数のポリ袋３が一枚ずつ複数折りされた状態で重ねて詰め込まれているので、雨水等に強く耐候性、耐水性に優れ、薄肉軽量であるため保管、搬送時に嵩張ることがなく、使用後の廃棄処理も容易である。
また、略ボックス状のパッケージであるため、一般家庭の調理台や引き出し等の中に設置して使用するのに適したデザインを持ち、且つ調理台や食器棚の引き出し等に入れたままで開口部５などからポリ袋３を一枚ずつ取り出すことができる（図４参照）。
【００２７】
角筒状のポリエチレンシート１を用いて、その上下の開口１ａ，１ｂの溶着閉鎖による略ボックス状の包装体２の製造工程と、多数のポリ袋３の詰め込み工程とを一連の工程中で行うことができる。また、上端側の開口１ａの溶着閉鎖時に形成される帯状封着部７を利用して持ち運び用の手提げ部とすることができる。
【００２８】
さらに、略ボックス状の包装体２内に、一枚ずつ複数折りされた多数のポリ袋３及び、略ボックス状の包装体２の底面部の形状に即した板材１５が略水平状に重ねて詰め込まれ、且つ包装体２の内部を真空又はそれに近い状態として縦置き可能に構成したので、収容されたポリ袋３がずれて型崩れするような虞れが少なく、コンパクトな形態で保管、搬送、使用に供することができる。よって、多数個を積み上げて保管、搬送する際等の省スペース化や省労力化が図れると共に、一般家庭でテーブルの上に置いて使用するのに違和感のない、新規なゴミ袋用パッケージとして提供し得る。
【符号の説明】
【００２９】
Ａ：ポリ袋用ポリエチレン製パッケージ
１：ポリエチレンシート（軟質合成樹脂シート）
２：包装体
３：ポリ袋
４：第一開口部
５：第二開口部
６：第三開口部
７：帯状封着部（帯状部）
８：帯状封着部（底面部）
９：第一取出部
１０：第二取出部
１１：第三取出部
１２，１３，１４：破線
１５：板材
【図１】
0003170655.tif 000003
【図２】
0003170655.tif 000004
【図３】
0003170655.tif 000005
【図４】
0003170655.tif 000006
【図５】
0003170655.tif 000007